(57)【要約】【課題】通常事務に使用している卓上にノートパソコンを置いて使用する場合、ノートパソコン本体以外に入力用原稿やノートパソコンの周辺機器、例えばテンキー装置やマウス装置、あるいはノートパソコンの付属機器、例えば電源アダプタや接続コード等の占有面積が必要となり、ノートパソコンを使用するためには広い領域を確保する必要があった。【解決手段】ノートパソコンＰを載せて使用する机Ｔ上に設置された卓上式家具において、ノートパソコン載置台１の下部に、中板２を設置することによって、中板２の下に入力用原稿Ｓの移動可能な空間を確保することと、ノートパソコン載置台１と中板との間にノートパソコンＰの付属機器、例えば電源アダプタや接続コード等の格納可能な空間を確保することと、さらに、ノートパソコン載置台１をオーバーハングさせることによりノートパソコンＰの周辺機器、例えばテンキー装置１１やマウス装置１２の使用可能な空間を確保することである。【選択図】  図１
2006075450.tif 000002
【特許請求の範囲】
【請求項１】
卓上に設置される卓上式家具において、電子機器を載せる載置台の下部で、卓上式家具の卓上への投影範囲内に、電子機器操作者の前面に開口部を有し前面から入力用原稿を前後左右に移動させることができる空間と、電子機器を載せる載置台の手前下部に電子機器の周辺装置を操作できる空間と、電子機器を載せる載置台の下部背部に電子機器の付属機器を載せることができる空間と、を設けたことを特徴とする卓上式家具
【請求項２】
卓上に設置される卓上式家具において、電子機器を載せる載置台の下部に、卓上から上方に一定の距離を離した、載置台の内部から背部に至る中板を設け、その中板と卓上ととの間に、入力用原稿を前後左右に移動させることができる空間を設けたことを特徴とする請求項１記載の卓上式家具
【請求項３】
卓上に設置される卓上式家具において、電子機器を載せる載置台の下部に、卓上式家具が卓上に接する土台部分の電子機器操作者からみた手前端位置に対して、電子機器を載せる載置台上面の電子機器操作者からみた手前端位置を、電子機器操作者の手前側にオーバーハングさせ、そのオーバーハング下部に、電子機器の周辺機器、例えばテンキー装置やマウス装置、を操作できる空間を設けたことを特徴とする請求項１記載の卓上式家具
【請求項４】
卓上に設置される卓上式家具において、電子機器を載せる載置台の下部に、卓上から上方に一定の距離を離した、電子機器を載せる載置台の内部から背部に至る中板の上に、電子機器の付属機器、例えば電源アダプタや接続コード等、を設置できる空間を設けたことを特徴とする請求項１記載の卓上式家具
【請求項５】
卓上に設置される卓上式家具において、電子機器を載せる載置台の下部に、卓上から上方に一定の距離を離した、電子機器を載せる載置台の内部から背部に至る中板の上に、電子機器の付属機器、例えば電源アダプタや接続コード等、を設置できる空間から、それらが電子機器操作者からみた後方に脱落するのを防止するための、１つ以上の半長円形状の切り込みを有し電子機器の付属機器の接続コード等が煩雑にならないように整理するための、背板を設置したことを特徴とする請求項１記載の卓上式
【発明の詳細な説明】
【技術分野】
【０００１】
本発明は、卓上に置く家具であって、電子機器を載せるための家具に関するものである。
【背景技術】
【０００２】
近年、企業での個人用ノートパソコンの普及をはじめ、自宅でもデスクトップパソコン以外にノートパソコンを所有するケースが数多くなっており、それに伴って、企業でも自宅でも通常事務に使用している机上にノートパソコンを置いて使用する必要性が生じてきている。
【０００３】
図４は、１背景技術を示す斜視図であって、ノートパソコンＰの周辺には、入力用原稿Ｓや電子機器の周辺機器、例えばテンキー装置１１やマウス装置１２などを接続し、机上面Ｔ１に並べて使用する。図には示されていないが電子機器の付属機器、例えば電源アダプタや接続コード等、が接続される場合があり、それらも机上面Ｔ１に並べて使用する。
【０００４】
図５は、１背景技術を示す斜視図であって、入力を容易にするためにノートパソコン載置台Ｌ１が角度調整できるノートパソコンラックＲ１で、市販されている卓上式家具である。この場合の机上面Ｔ１での占有状況は図４と同様である。
【０００５】
図６は、１背景技術を示す斜視図であって、ノートパソコンを使用しない場合に机上面Ｔ１の占有面積を少なくする目的の卓上式家具で、ノートパソコンを使用する場合は閉じられているノートパソコンを載せたノートパソコン載置台Ｌ２を手前にスライドさせノートパソコンを開いて使用し、ノートパソコンを使用しない場合はノートパソコンを閉じてからノートパソコン載置台Ｌ２を奥にスライドして格納する、ノートパソコン載置台Ｌ２がノートパソコンラックＲ２に接続されていないタイプの市販されている卓上式家具である。この場合の机上面Ｔ１の占有状況も図４同様である。
【０００６】
【特許文献１】特許公開２００３−９９５７ パソコンラックパソコン専用台ではない既存の机類に対してパソコンを設置できるとともに、パソコン設置状態においても、パソコン本体を机上に置くことなく、机上面を広く活用できるようにする。
【特許文献２】登録実用新案第３０７８３２９号 パソコンラックモニター天板の側部からの引き出し長さを調整でき、且つ左右何れの側部にも取り付けられるサイドデスクを備えたパソコンラックを提案することを目的とする。
【特許文献３】登録実用新案第３０２９８７８号 パソコンラックコンピューターを使用する場所に合わせて、コンパクトに操作のしやすい形状を選択でき、付属する周辺機器の配置にも、使用し易い位置調節機能をもつパソコンラックを提供することにある。
【非特許文献１】図５に関連するコクヨ株式会社製ノートパソコンラックの商品カタログで、記載されている特徴は、簡易キャスター付きでデスクの上での移動が簡単に行え、本体角度を４〜１２度に５段階設定できる電子機器を載せる卓上式家具。
【非特許文献２】図６に関連するコクヨ株式会社製ノートパソコン用卓上シェルフの商品カタログで、記載されている特徴は、デスク上の書類とノートパソコンを能率よく収納できる卓上式家具
【発明の開示】
【発明が解決しようとする課題】
【０００７】
図４の背景技術において解決しようとする問題点は、入力用原稿Ｓを使用する場合、机上面Ｔ１にその入力用原稿Ｓの大きさの占有面積を必要とする。入力用原稿台を使用しても、入力用原稿台は机上面Ｔ１に置く場合が多いので入力用原稿台の占有面積が必要となり机上面Ｔ１の作業空間を狭めることになる。大きな原稿では入力用原稿台を利用しにくく、机上面Ｔ１に入力用原稿Ｓを広げて入力するため、机上面Ｔ１に入力用原稿Ｓを使用するのための占有面積を必要とすることである。
【０００８】
また、図５〜図６の背景技術において解決しようとする問題点は、図５〜図６には示されていないが図４のようなノートパソコンの周辺機器、例えばテンキー装置１１やマウス装置１２をはじめとして、電子機器の付属機器、例えば電源アダプタや接続コード等、を接続するとこれらが机上面Ｔ１に置かれるために、これらを使用するための占有面積を必要とすることである。
【０００９】
そこで、本発明は、図４で説明したように、入力用原稿Ｓの机上面Ｔ１での占有面積を少なくすることと、ノートパソコンＰに接続する周辺機器、例えばテンキー装置１１やマウス装置１２、図には示されていないが電子機器の付属機器、例えば電源アダプタや接続コード等、の占有面積を少なくすることと、を可能にする卓上式家具を提供することを課題とする。
【課題を解決するための手段】
【００１０】
以上の課題を解決するための手段を図１に基づいて説明する。図１は本発明の１実施形態を示す斜視図である。請求項１の発明は、卓上に設置される卓上式家具において、ノートパソコン載置台１より下で、卓上式家具の机上面Ｔ１への投影範囲内で、机上面Ｔ１より上で、ノートパソコンＰの操作者の前面に開口部があり入力用原稿Ｓを前後左右に移動させることができ入力用原稿Ｓによる机上面Ｔ１の占有面積を少なくすることを目的とした空間を設けたことと、ノートパソコン載置台１の下部手前に電子機器の周辺装置、例えばテンキー装置１１やマウス装置１２、を操作できる空間を設けたことと、ノートパソコン載置台１の下部の背部に、図には示されていないが電子機器の付属機器、例えば電源アダプタや接続コード等、を載せ整頓することができる空間を設けたことと、を特徴とする卓上式家具である。
【００１１】
請求項２の発明は、卓上に設置される卓上式家具において、ノートパソコン載置台の下部に、電子機器の付属機器、例えば電源アダプタや接続コード等、を置くことを目的とした中板２を、卓上式家具が机上面Ｔ１に接する部分の手前先端位置から背部にかけて設置したことにより、中板２と机上面Ｔ１との間の空間ができるため、電子機器操作者がその空間の範囲内に入力用原稿を置いて参照する部分を卓上式家具の下手前に配置でき、必要に応じて入力用原稿Ｓを前後左右に移動することができる空間を設置したことを特徴とする請求項１記載の卓上式家具である。
【００１２】
請求項３の発明は、卓上に設置される卓上式家具において、卓上式家具の側板４が机上面Ｔ１に接する部分の電子機器操作者からみた手前先端位置に対して、ノートパソコン載置台１の電子機器操作者からみた手前先端位置を、電子機器操作者からみた手前側に迫り出してオーバーハング部７を形成し、そのオーバーハング部７下に電子機器の周辺機器、例えばテンキー装置１１やマウス装置１２、を操作する空間を確保することによって、机上面Ｔ１で電子機器の周辺機器、例えばテンキー装置１１やマウス装置１２、を使う領域を確保したことを特徴とする請求項１記載の卓上式家具である。
【００１３】
請求項４の発明は、卓上に設置される卓上式家具において、ノートパソコン載置台１の下部で、卓上式家具の側板４が机上面Ｔ１に接する部分の電子機器操作者からみた手前先端位置あたりから背部にかけて中板２を設置し、ノートパソコン載置台１と中板２の間に電子機器の付属機器、例えば電源アダプタや接続コード等、を整理するための空間を設けたことを特徴とする請求項１記載の卓上式家具である。
【００１４】
請求項５の発明は、卓上に設置される卓上式家具において、ノートパソコン載置台１の下部に設置した中板２に、電子機器の付属機器、例えば電源アダプタや接続コード等、が脱落するのを防止するための背板３を設置し、その背板３に、接続コード等を必要最小限の範囲で卓上式家具の外に取り出しても煩雑にならないようにするための、１つ以上の半長円形状の溝部６を設けたことことを特徴とする請求項１記載の卓上式家具である。
【発明の効果】
【００１５】
本発明によれば、ノートパソコン載置台１の下部に、電子機器操作者の前面に開口部があり入力用原稿Ｓを前後左右に移動させることができる入力用原稿移動可能領域を設けたので、入力用原稿Ｓの机上面Ｔ１での占有面積を少なくすることができる。
【００１６】
また、ノートパソコン載置台１の下部で電子機器操作者からみた手前側にオーバーハング部を設置したことにより、電子機器の周辺機器、例えばテンキー装置１１やマウス装置１２、の使用のための机上面Ｔ１での占有面積を少なくすることができる。
【００１７】
さらに、ノートパソコン載置台１の内部から背部にかけて中板２を設置したことと、ノートパソコン載置台の背部に一つ以上の半長円形状の切り込みを有した背板３を設置したことと、により電子機器の付属機器、例えば電源アダプタや接続コード等、の机上面Ｔ１での占有面積を少なくすることができる。
【発明を実施するための最良の形態】
【００１８】
図１に示すように、この卓上式家具は机上面Ｔ１に置いて使用するもので、ノートパソコンＰをノートパソコン載置台１に載せ、卓上式家具の内部およびノートパソコンＰの操作者の前面下部および背部を活用して、机上面Ｔ１の作業空間の占有面積を少なくするためのもので、以下の２つの実施例で説明する。
【実施例１】
【００１９】
卓上式家具の主な構成は、ノートパソコン載置台１と、中板２と、溝部６を有する背板３と、左右の側板４と、ストッパー５と、で構成され、ノートパソコン載置台１と中板２との両端に左右の側板４が取り付けられ、背板は中板に取り付けられている。以下、具体的な構成について詳述する。
【００２０】
まず、前述の卓上式家具については、ノートパソコン載置台１と、電子機器の付属機器、例えば電源アダプタや接続コード等、を置く中板２と、中板２から電子機器の付属機器、例えば電源アダプタや接続コード等、の後方への脱落を防止し接続コード等を整理するための１つ以上の溝部６が形成された背板３と、入力用原稿Ｓを前後左右に移動するための空間を卓上式家具の下部に確保するために中板２を机上面Ｔ１から上方に離して設置するとともに、ノートパソコン載置台１をオーバーハングさせるための支持体である左右の側板４と、ノートパソコンＰが手前側にすべり落ちないためのストッパー５と、で構成されており、テンキー装置１１とマウス装置１２は、入力用原稿Ｓの前後左右の移動に邪魔にならない領域で入力用原稿Ｓに並べて、ノートパソコン載置台１のオーバーハング部７下の机上面Ｔ１上に配置してある。
【００２１】
「他の実施形態」
図１の実施形態では、卓上式家具の主な構成を、ノートパソコン載置台１と、中板２と、背板３と、左右の側板４と、ストッパー５で構成されている、としたが、必ずしも板状のものである必要はなく、棒状あるいはパイプ状あるいはC形鋼状あるいはＬ形鋼状のもので構成してもよい。
【００２２】
「他の実施形態」
また、図１の実施形態では、卓上式家具の大きさをノートパソコンＰに比して大きく描画してあるが、ノートパソコンＰを載せることができる大きさを有していればよい。
【００２３】
「他の実施形態」
さらに、図１の実施形態では、ノートパソコン載置台１を固定してあるように図示してあるが、図３に示す付属機器格納可能領域２３に電子機器の付属機器、例えば電源アダプタ１３や接続コード１４等、を出し入れしすくするために、ノートパソコン載置台１の電子機器操作者からみた手前両端を支点にしてノートパソコン載置台１の最背部を上方に持ち上げることができる構造のものでもよい。
【実施例２】
【００２４】
図２は本発明の１実施形態を示す側面図であって、ノートパソコン載置台１と中板２と机上面Ｔ１による３層構造ができることによって中板２の下に入力用原稿移動可能領域２１が確保できることによって入力用原稿Ｓのための占有面積が少なくなり、ノートパソコン載置台１のオーバーハング部７の下にマウス装置使用可能領域２２が確保できることによってテンキー装置１１やマウス装置１２のための占有面積が少なくなり、ノートパソコン載置台１と中板２の間に図３に示す付属機器格納可能領域２３が確保できることによって電子機器の付属装置、例えば電源アダプタ１３や接続コード１４等、の占有面積が少なくできる。したがって、机上面Ｔ１の占有面積を節約できる。
【００２５】
また、図３は本発明の１実施形態を示す上面図と正面図であって、図３の背板３に一つ以上の半長円形状の切り込みである溝部６を設置することにより、付属機器格納可能領域２３に電子機器の付属機器、例えば電源アダプタ１３や接続コード１４等、を載せた後、外部に接続するコードのみ溝部６から外部に必要最小限の範囲で取り出すことによって机上面Ｔ１に接続コード１４の卓上式家具の外への広がりを少なくできる。したがって、机上面Ｔ１の接続コード１４等の占有面積を節約できる。
【００２６】
「他の実施形態」
図３の実施形態では、背板溝部６の形状を半長円形状の切り込みとしたが、必ずしも半長円形状である必要はなく、矩形あるいはV形あるいは半円形のものでもよい。また、切り込みのない背板３の上部に上方への凸部を形成して、凸部と凸部の間隙を切り込みの代わりとして利用するものでもよい。
【図面の簡単な説明】
【００２７】
【図１】本発明の１実施形態を示す斜視図である。
【図２】本発明の１実施形態を示す側面図である。
【図３】本発明の１実施形態を示す上面図と正面図である。
【図４】１背景技術を示す斜視図である。
【図５】１背景技術を示す斜視図である。
【図６】１背景技術を示す斜視図である。
【符号の説明】
【００２８】
１    ノートパソコン載置台
２    中板
３    背板
４    側板
５    ストッパー
６    溝部
７    オーバーハング部
１１  テンキー装置
１２  マウス装置
１３  電源アダプタ
１４  接続コード
２１  入力用原稿移動可能領域
２２  マウス装置使用可能領域
２３  付属機器格納可能領域
Ｌ１  ノートパソコン載置台
Ｌ２  ノートパソコン載置台
Ｐ      ノートパソコン
Ｒ１  ノートパソコンラック
Ｒ２  ノートパソコンラック
Ｓ    入力用原稿
Ｔ    机
Ｔ１  机上面
【図１】
2006075450.tif 000003
【図２】
2006075450.tif 000004
【図３】
2006075450.tif 000005
【図４】
2006075450.tif 000006
【図５】
2006075450.tif 000007
【図６】
2006075450.tif 000008